(57)【要約】【課題】防虫網などのスクリーンを張るために引き出したときにコイルスプリングに蓄積された弾力でスクリーンを巻き取るようにした枠組体において、巻取りの速度を緩和するために具備されるスクリーンの巻取り制動装置を提供する。【解決手段】巻取筒は、上下連結ブロックに軸支され、上部連結ブロックに支持される中心の固定シャフトとの間にコイルスプリングが介在され、コイルスプリングの弾力に抗する固定シャフトに対する出し回転を伴わせてスクリーンが引き出され且つ弾力による入り回転により巻き取られるようになしてあって、下部連結ブロックに巻取筒の下部軸が固定され、巻取筒には、それに外ケースが固定されるロータリーダンパと、スクリーンがコイルスプリングの弾力で巻き戻される巻取筒の入り回転においてロータリーダンパの制動軸が下部軸に接続されるワンウエイクラッチとを、下端部において組合せに内装した。【選択図】    図２
0003141738.tif 000002
【実用新案登録請求の範囲】
【請求項１】
スクリーンで開閉される枠組みの一の枠がスクリーンの巻取筒が内装される収納枠であって、収納枠の両端に枠組みのための連結ブロックが固着されている枠組体において、その巻取筒は、上下連結ブロックに軸支され、上部連結ブロックに支持される中心の固定シャフトとの間にコイルスプリングが介在され、コイルスプリングの弾力に抗する固定シャフトに対する出し回転を伴わせてスクリーンが引き出され且つ弾力による入り回転により巻き取られるようになしてあって、下部連結ブロックに巻取筒の下部軸が固定され、巻取筒には、それに外ケースが固定されるロータリーダンパと、スクリーンがコイルスプリングの弾力で巻き戻される巻取筒の入り回転においてロータリーダンパの制動軸が下部軸に接続されるワンウエイクラッチとを、下端部において組合せに内装したことを特徴とする網状ないし面状スクリーンの巻取り制動装置。
【請求項２】
円柱形の頭部が一体に形成される下部軸であって、それがほゞ全体的に収納される下部軸ハウジングが巻取筒の下端部に一体に嵌着され、下部軸ハウジングには下部軸の頭部に被さるキャップ形のクラッチハウジングが、下部軸ハウジングと前記頭部との双方との間に双方に対して回転可能に収まり、ロータリーダンパが下部軸ハウジングの上端に嵌着して固定されるとともに、制動軸でクラッチハウジングの中心に一体回転可能に連結され、下部軸の頭部の外周にボールが案内される循環円周溝を設け、その一部が上又は下に湾曲する迂回路に形成され、その頭部に被さるクラッチハウジングの内周にはボールを上下に案内する縦溝が設けられ、スクリーンをコイルスプリングの弾力で巻き取る巻取筒の入り回転に伴う同方向のボールの回動によりそれが落ち込むポケットを前記迂回路に設けたことを特徴とする請求項１記載の網状ないし面状スクリーンの巻取り制動装置。
【考案の詳細な説明】
【技術分野】
【０００１】
この考案は、防虫網や映写幕、遮蔽幕などのスクリーンを収納枠から引き出すことができるとともに、その際にコイルスプリングに蓄積された弾力で巻き取って仕舞うことができるようにした枠組体における網状ないし面状スクリーンの巻取り制動装置に関する。
【背景技術】
【０００２】
網戸や網枠等の枠組体には、網としてのスクリーンが、一般的に一端の収納枠に中の巻取筒に巻き取って仕舞われ、把手フレームを引いて巻取筒から巻き戻して張られるが、巻き取りが自動的になされるようにするとともに、把手フレームを引くことによりスクリーンを張りに保持する必要から、収納枠には、巻取筒とその中心の固定シャフトとの間にコイルスプリングが介在される。
【０００３】
固定シャフトは、収納枠の上端に有する上枠との連結ブロックに固定されているので、スクリーンを引き出して巻取筒を回転すると、コイルスプリングに弾力が蓄積されるので、把手フレームを放すと弾力によりスクリーンが巻取筒に巻き取られ収納枠に仕舞われる。
【考案の開示】
【考案が解決しようとする課題】
【０００４】
上記のような従来のスクリーンの巻取り装置によれば、防虫網を体裁よく緊張して張ることや、仕舞い残りが生じないようにすることのために、殊に、コイルスプリングを強にしてあると、把手フレームを縦枠から放した時、突然のように急速に把手フレームが移動して危険に感じるという不都合があった。
【０００５】
この考案は、上記のような実情から、防虫網などのスクリーンを張るために引き出したときにコイルスプリングに蓄積された弾力でスクリーンを巻き取るようにした枠組体において、巻取りの速度を緩和するために具備されるスクリーンの巻取り制動装置を提供することを課題とした。
【課題を解決するための手段】
【０００６】
上記の課題を解決するために、この考案は、スクリーンで開閉される枠組みの一の枠がスクリーンの巻取筒が内装される収納枠であって、収納枠の両端に枠組みのための連結ブロックが固着されている枠組体において、その巻取筒は、上下連結ブロックに軸支され、上部連結ブロックに支持される中心の固定シャフトとの間にコイルスプリングが介在され、コイルスプリングの弾力に抗する固定シャフトに対する出し回転を伴わせてスクリーンが引き出され且つ弾力による入り回転により巻き取られるようになしてあって、下部連結ブロックに巻取筒の下部軸が固定され、巻取筒には、それに外ケースが固定されるロータリーダンパと、スクリーンがコイルスプリングの弾力で巻き戻される巻取筒の入り回転においてロータリーダンパの制動軸が下部軸に接続されるワンウエイクラッチとを、下端部において組合せに内装したことを特徴とする網状ないし面状スクリーンの巻取り制動装置を提供するものである。
【考案の効果】
【０００７】
以上説明したように、この考案によれば、コイルスプリングの弾力で収納枠にスクリーンを引き込ませる際に、危うく感じないようにスクリーンの引き込み速度が制御されるので、快適にスクリーンの開閉操作をなすことができる。しかも、装置の体部分が巻取筒の下端部に内装されるので、収納枠の内部が複雑にならなく、掃除もしやすくなるという優れた効果がある。
【考案を実施するための最良の形態】
【０００８】
図面は、この考案を防虫網の網戸ないし網窓に実施した形態を示したものであるが、映写幕や遮蔽幕などについても同様に実施することがきる。
【０００９】
図１は、この考案に係る網戸ないし網窓の基本的構造を示すものであって、スクリーン４が張られる枠組体Ｆは、防虫網としてのスクリーン４を巻き取るために一端に縦枠として前面開閉蓋（図示省略）付きの収納枠１を有し、それに上下枠２，３が連結ブロック１２，１３で連結され、他端に対向縦枠５を有する。また、スクリーン４の端に把手フレーム７が取り付けられ、それが上下枠２，３の双方に移動可能に係合される。収納枠１には、スクリーン４の巻取筒１１が内装され、それには上部連結ブロック１２に回転不能に支持される上部軸１５が、下部連結ブロック１３に回転不能に支持される下部軸１６がそれぞれ上下に突設される。
【００１０】
巻取筒１１にスクリーン４をコイルスプリング２５の弾力で自動的に巻き取るための中心軸は、上部軸１５と一体の固定シャフト１４であって、固定シャフト１４が上部軸１５の上端を角形に形成して上部連結ブロック１２の角形連結穴に差し込まれて固定され、また、下部軸１６は下端部に角形の筒穴１８を設ける一方、角形の差しピン２４に着脱可能に差し込まれて回転不能に固定される。この枠組体Ｆにおいて、スクリーンの巻取り制動装置は、収納枠１内の巻取筒１１の下端にワンウエイクラッチ１７とロータリーダンパ１９とを組合せに構成される。
【００１１】
スクリーン４を巻き取る仕組みは前記した通りであるが、具体的には、上部軸１５と一体の固定シャフト１４を中心軸として巻取筒１１が回転するように、巻取筒１１には、上端と中間部に固定シャフト１４の軸受体２１，２３が一体に嵌着され、その上下軸受体２１，２３の間において固定シャフト１４にはコイルスプリング２５が挿入され、コイルスプリング２５の上端が固定シャフト１４にピン２２で止めて固定され、下端が下部軸受体２３に掛止して固定されている。したがって、スクリーン４を張るときの出し回転Ｐにおいてコイルスプリング２５に弾力が蓄積され、その弾力で巻取筒１１が入り回転Ｑをすることによりスクリーン４が巻き取られる。
【００１２】
巻取り制動装置Ｒは、巻取筒１１の下端部に設けられ、そこにおいてワンウエイクラッチ１７とロータリーダンパ１９と、下部軸１６とが一体の組み込みに構成される。
【００１３】
ワンウエイクラッチ１７は、上端に頭部２７を一体に有する前記下部軸１６と、この下部軸１６が頭部２７と共に全体的に納まる下部軸ハウジング３０と、下部軸１６の頭部２７と下部軸ハウジング３０との間の双方に回転可能に嵌まるキャップ形のクラッチハウジング２９とからなるが、下部軸ハウジング３０の上端にロータリーダンパ１９が蓋閉めに固定され、これも構成の一に加わり、ロータリーダンパ１９の制動軸２０がクラッチハウジング２９にその中心穴３２で角形の嵌まりにより一体回転するように連結される。また、巻取筒１１に対しては下部軸ハウジング３０が嵌着により固定されている。なお、下部軸ハウジング３０の筒状脚３２からは下部軸１６が突出している。
【００１４】
下部軸１６の頭部２７には、その円柱形の内周面にボール３１が案内される循環円周溝３３を設けるとともに、その一部を上に反り曲がる迂回路３５として形成し、その迂回路３５の一端（入り回転Ｑ方向の端）にボール３１が落ち込むポケット３７が設けられる。また、クラッチハウジング２９の内周面には、ボール３１が係合して上下に案内される縦溝３９が形成されている。したがって、ボール３１が迂回路３５に出入りしてもクラッチハウジング２９は上下しない。
【００１５】
上記の構成において、スクリーン４が引き出されて巻取筒１１に出し回転Ｐがなされると、下部軸ハウジング３０が一体回転すると同時に、ロータリーダンパ１９の外ケース１９ａが同じＰ方向へ回転するが、この時にロータリーダンパ１９の制動軸２０を介してボール３１が出し回転Ｐ方向へ回動しても、その方向ではポケット３７に掛からなく、つまりロータリーダンパ１９が効かないため、巻取筒１１の回転に制動作用は生じなく、自由にスクリーン４の引き出し操作ができる。しかし、この際には、スクリーン４の引き出しによりコイルスプリング２５に弾力が蓄積され、巻き戻しの力が蓄えられるので、把手フレーム７を磁石３８により縦枠５に閉じてスクリーン４の張った状態を保持しておく必要がある。
【００１６】
次に、磁石３８から把手フレーム７を解き放すと、コイルスプリング２５に蓄えられている弾力によりスクリーン４が回転する巻取筒１１に巻き取られる。巻取筒１１はこの時に入り回転Ｑとなるが、この時には、その回転が下部軸ハウジング３０、ロータリーダンパ１９の制動軸２０、クラッチハウジング２９を介して、ボール３１が同じ入り回転Ｑ方向の回動となる関係で、それがポケット３７に落ち込み掛止するため（図３参照）、クラッチハウジング２９の回転が阻止される結果、同時に制動軸２０が固定され、制動軸２０（つまり中盤１９ｂ）に対して外ケース１９ａが巻取筒１１と同時に回転するために、その間の摩擦により巻取筒１１が制動される。つまり、コイルスプリング２５の弾力による巻取筒１１の入り回転Ｑの速度が緩和される。
【００１７】
なお、この考案（請求項１参照）において、ワンウエイクラッチ１７およびロータリーダンパ１９は、上記の構造に限られることはない。また、上下の表現については、必ずしもその方向とは限らなく、横方向である場合もある。
【図面の簡単な説明】
【００１８】
【図１】この考案に係る網戸ないし網窓を示す一部切欠した正面図である。
【図２】この考案による網状ないし面状スクリーンの巻取り制動装置を示す要部の断面図であって、縦長を二段に分けて表示した正面図である。
【図３】同巻取り制動装置を構成する部品を分解して示す断面正面図である。
【符号の説明】
【００１９】
Ｐ  出し回転
Ｑ  入り回転
Ｒ  巻取り制動装置
Ｆ  枠組体
１  収納枠
２  上枠
３  下枠
４  スクリーン
５  縦枠
７  把手フレーム
１１  巻取筒
１２  上部連結ブロック
１３  下部連結ブロック
１４  固定シャフト
１５  上部軸
１６  下部軸
１７  ワンウエイクラッチ
１９  ロータリーダンパ
２０  制動軸
２５  コイルスプリング
２７  頭部
２９  下部軸ハウジング
３０  クラッチハウジング
３１  ボール
３３  循環円周溝
３５  迂回路
３７  ポケット
３９  縦溝
【図１】
0003141738.tif 000003
【図２】
0003141738.tif 000004
【図３】
0003141738.tif 000005